(57)【要約】【課題】回路基板が装着される際は、回路基板に対応して基板装着板を大型にでき、また、基板装着板を搬送する際は、第１及び第２の板体に分離したり、第１及び第２の板体を折り重ねたりすることにより基板装着板を小型にすることができる基板装着板及び表示装置を提供する。【解決手段】複数の回路基板が並べて装着される基板装着板を、複数の連結片を有し、一の回路基板が装着される第１の板体と、連結片に対応する被連結部を有し、他の回路基板が装着される第２の板体とを、連結片に開設されている螺子挿通孔から、被連結部に開設されている螺子孔に小螺子を螺子込むことにより取外し可能に連結した。【選択図】図１
2008096591.tif 000002
【特許請求の範囲】
【請求項１】
複数の回路基板が装着される基板装着板において、一の回路基板が装着される第１の板体と、他の回路基板が装着され、且つ第１の板体に連結される第２の板体とを有することを特徴とする基板装着板。
【請求項２】
前記第１の板体は連結片を有し、第２の板体は該連結片が取外しを可能に取付けられる被連結部を有する請求項１記載の基板装着板。
【請求項３】
前記第１及び第２の板体は回動により折り重ねを可能に連結してある請求項１記載の基板装着板。
【請求項４】
前側に表示面を有する表示部の後面に、請求項１乃至３のいずれか一つに記載の基板装着板を備え、該基板装着板の第１及び第２の板体に回路基板を装着してあることを特徴とする表示装置。
【発明の詳細な説明】
【技術分野】
【０００１】
本発明は複数の回路基板が装着される基板装着板、及び該基板装着板を備える液晶表示装置、プラズマ表示装置等の表示装置に関する。
【背景技術】
【０００２】
映像を表示する表示面を前側に有する液晶テレビ、プラズマテレビ等の薄型の表示装置は例えば特許文献１に開示されている。
【０００３】
図１２は従来の表示装置の構成を示す後側の斜視図、図１３は横断拡大平面図である。薄型の表示装置は、前側にパネル部１００を有し、後側に該パネル部１００へ光を照射するバックライト部１０１を有する表示部１０２の後面１０２ａに、バックライト部１０１を駆動するインバータ回路基板１０３，１０３と、パネル部１００の駆動及び制御を行う制御回路基板１０４と、パネル部１００に表示する映像を処理させるメイン回路基板１０５及びサブ回路基板１０６と、メイン回路基板１０５及びサブ回路基板１０６に電圧を供給する電源回路基板１０７とが取付けられている。
【０００４】
インバータ回路基板１０３，１０３及び制御回路基板１０４は前記後面１０２ａに直接取付けられ、メイン回路基板１０５，サブ回路基板１０６及び電源回路基板１０７は一枚の板体からなる基板装着板１０８に並べて取付けられ、該基板装着板１０８が後面１０２ａに取付けられている。
【特許文献１】特開２００５−１９１７８７号公報
【発明の開示】
【発明が解決しようとする課題】
【０００５】
ところで、液晶テレビ等の薄型の表示装置は年々大型になっており、この表示装置の大型化に伴って回路基板、及び該回路基板が装着される基板装着板１０８も大型に形成されている。
【０００６】
ところが、基板装着板１０８は一枚の金属板により形成されているため、基板装着板１０８の大型化に伴い、該基板装着板１０８の搬送が行い難くなるし、また、基板装着板１０８を収容して搬送する通い箱が大型となり、基板装着板１０８に対応した大きさの通い箱を新設する必要があり、改善策が要望されていた。
【０００７】
本発明は斯かる事情に鑑みてなされたものであり、主たる目的は一の回路基板が装着される第１の板体と、他の回路基板が装着され、且つ第１の板体に連結される第２の板体とを基板装着板が有する構成とすることにより、小型にすることが可能な基板装着板を提供することにある。
【０００８】
また、他の目的は第１の板体に連結片を設け、該連結片が取外しを可能に取付けられる被連結部を第２の板体に設けることにより、回路基板に対応して基板装着板を大型にでき、しかも、基板装着板を搬送する際は第１及び第２の板体に分離することができる基板装着板を提供することにある。
【０００９】
また、他の目的は第１及び第２の板体を回動により折り重ねを可能に連結することにより、回路基板に対応して基板装着板を大型にでき、しかも、基板装着板を搬送する際は第１及び第２の板体を折り重ねることができる基板装着板を提供することにある。
【００１０】
また、他の目的は前側に表示面を有する表示部の後面に前述した基板装着板を設け、該基板装着板の第１及び第２の板体に回路基板を装着することにより、回路基板に対応して基板装着板を大型にでき、しかも、基板装着板を搬送する際は第１及び第２の板体に分離したり、第１及び第２の板体を折り重ねたりすることにより基板装着板を小型にすることが可能な表示装置を提供することにある。
【課題を解決するための手段】
【００１１】
本発明に係る基板装着板は、複数の回路基板が装着される基板装着板において、一の回路基板が装着される第１の板体と、他の回路基板が装着され、且つ第１の板体に連結される第２の板体とを有することを特徴とする。
【００１２】
この発明にあっては、回路基板が装着される際は、第１及び第２の板体の連結により、回路基板に対応して基板装着板を大型にできる。また、基板装着板を搬送する際は、第１及び第２の板体に分離したり、第１及び第２の板体を折り重ねたりすることにより基板装着板を小型にすることが可能である。従って、基板装着板を搬送し易いし、また、基板装着板の通い箱を他の機種用と共通にすることができ、通い箱を新設することなく基板装着板の大型化に対応することができる。
【００１３】
また、本発明に係る基板装着板は、前記第１の板体は連結片を有し、第２の板体は該連結片が取外しを可能に取付けられる被連結部を有することを特徴とする。
【００１４】
この発明にあっては、回路基板が装着される際は、連結片が被連結部に取付けられているため、回路基板に対応して基板装着板を大型にできる。また、基板装着板を搬送する際は、取付片を取外すことにより、第１及び第２の板体に分離することができる。従って、基板装着板を搬送し易いし、また、基板装着板の通い箱を他の機種用と共通にすることができ、通い箱を新設することなく基板装着板の大型化に対応することができる。
【００１５】
また、本発明に係る基板装着板は、前記第１及び第２の板体は回動により折り重ねを可能に連結してあることを特徴とする。
【００１６】
この発明にあっては、回路基板が装着される際は、第１及び第２の板体を展開することにより回路基板に対応して基板装着板を大型にできる。また、基板装着板を搬送する際は、第１及び第２の板体を折り重ねることができる。従って、基板装着板を搬送し易いし、また、基板装着板の通い箱を他の機種用と共通にすることができ、通い箱を新設することなく基板装着板の大型化に対応することができる。
【００１７】
また、本発明に係る表示装置は、前側に表示面を有する表示部の後面に、前述した発明の基板装着板を備え、該基板装着板の第１及び第２の板体に回路基板を装着してあることを特徴とする。
【００１８】
この発明にあっては、回路基板が基板装着板に装着される際は、第１及び第２の板体が連結され、且つ展開されることにより、回路基板に対応して基板装着板を大型にできる。また、基板装着板を搬送する際は、第１及び第２の板体に分離したり、第１及び第２の板体を折り重ねたりすることにより基板装着板を小型にすることが可能である。従って、基板装着板を搬送し易いし、また、基板装着板の通い箱を他の機種用と共通にすることができ、通い箱を新設することなく基板装着板の大型化に対応することができる。
【発明の効果】
【００１９】
以上詳述したように本発明によれば、回路基板が装着される際は、回路基板に対応して基板装着板を大型にでき、しかも、基板装着板を搬送する際は、第１及び第２の板体に分離したり、第１及び第２の板体を折り重ねたりすることにより基板装着板を小型にすることが可能である。また、通い箱を新設することなく基板装着板の大型化に対応することができる。
【００２０】
また、本発明によれば、回路基板が装着される際は、回路基板に対応して基板装着板を大型にでき、しかも、基板装着板を搬送する際は、取付片を取外すことにより、第１及び第２の板体に分離することができ、基板装着板を搬送し易いし、また、通い箱を新設することなく基板装着板の大型化に対応することができる。
【００２１】
また、本発明によれば、回路基板が装着される際は、回路基板に対応して基板装着板を大型にでき、しかも、基板装着板を搬送する際は、第１及び第２の板体を折り重ねることができ、基板装着板を搬送し易いし、また、通い箱を新設することなく基板装着板の大型化に対応することができる。
【００２２】
また、本発明によれば、回路基板が基板装着板に装着される際は、第１及び第２の板体が連結され、且つ展開されることにより、回路基板に対応して基板装着板を大型にでき、また、基板装着板を搬送する際は、第１及び第２の板体に分離したり、第１及び第２の板体を折り重ねたりすることにより基板装着板を小型にすることが可能であり、また、通い箱を新設することなく基板装着板の大型化に対応することができる。
【発明を実施するための最良の形態】
【００２３】
以下本発明をその実施の形態を示す図面に基づいて詳述する。
実施の形態１
図１は本発明に係る表示装置の構成を示す後側の斜視図、図２は横断拡大平面図である。
【００２４】
図示した薄型の表示装置は、前側にパネル部１１を有し、後側に該パネル部１１へ光を照射するバックライト部１２を有し、略直方体をなす表示部１と、該表示部１の後面１ａで、横方向中間の二箇所に取付けられた補強桟２，２と、バックライト部１２を駆動するインバータ回路基板３，３と、パネル部１１の駆動及び制御を行う制御回路基板４と、パネル部１１に表示する映像を処理させるメイン回路基板５及びサブ回路基板６と、メイン回路基板５及びサブ回路基板６に電圧を供給する電源回路基板７と、メイン回路基板５，サブ回路基板６及び電源回路基板７が装着される基板装着板８とを備える液晶テレビである。
【００２５】
インバータ回路基板３，３、制御回路基板４、メイン回路基板５、サブ回路基板６及び電源回路基板７の夫々の一面には複数の電子部品が実装されている。
【００２６】
パネル部１１は、前側に表示面を有し略直方体をなすパネル１１ａ、及び該パネル１１ａの後側に配置された拡散板等の光学シート１１ｂを備える。バックライト部１２は、光学シート１１ｂの後側に上下に並置され、該光学シート１１ｂ側へ光を照射する複数本のランプと、該ランプを収容支持する筺体１２ａとを備える。前記ランプは両端部に電極を有する冷陰極管であり、夫々のランプの両端部の電極にインバータ回路基板３，３が接続され、パルス幅変調信号により明るさが制御されるように構成されている。
【００２７】
筺体１２ａは略直方体をなし、金属板を成形してなる枠部と、該枠部の後側端を閉塞し、金属板を成形してなる蓋板とを有し、該蓋板が表示部１の後面１ａになっている。
【００２８】
後面１ａの両側部にはインバータ回路基板３，３がビスにより取付けられており、後面１ａの下部で横方向中央部には制御回路基板４が小螺子により取付けられている。また、後面１ａの制御回路基板４及びインバータ回路基板３，３の間に補強桟２，２が取付られ、該補強桟２，２の後側に、メイン回路基板５，サブ回路基板６及び電源回路基板７が後面１ａと対向するように基板装着板８を配置してある。
【００２９】
補強桟２，２は金属板を断面凹形に成形してなり、後面１ａに載置されて複数の小螺子により取付けられ、筺体１２ａを補強、ひいては表示部１を補強している。
【００３０】
図３は基板装着板の構成を示す正面図、図４は基板装着板の構成を示す平面図、図５は基板装着板の構成を示す斜視図、図６は基板装着板の構成を示す分解斜視図である。基板装着板８は一面にメイン回路基板５及びサブ回路基板６が装着される第１の板体８１と、一面に電源回路基板７が装着され、且つ第１の板体８１の一側に連結される第２の板体８２とを有する。
【００３１】
第２の板体８２は、直方形をなす板部８２ａと、該板部８２ａの周縁から回路基板側（一面側）へ立上る枠部８２ｂと、該枠部８２ｂの複数の周方向位置から外向きに延出された複数の取付部８２ｃと、板部８２ａの一側から外方へ延出された二つの第１の連結片８２ｄと、枠部８２ｂの二つの角部から第１の連結片８２ｄと同方向へ延出された第２の連結片８２ｅとを有する金属板からなり、取付部８２ｃが後面１ａに螺子止めされるように構成されている。第１及び第２の連結片８２ｄ，８２ｅには螺子挿通用の挿通孔８２ｆ，８２ｇが開設されている。また、板部８２ａの中央側には貫通孔８２ｈ、及び該貫通孔８２ｈの孔縁から一面側へ折曲げられた複数の第１の受片８２ｉが設けられており、受片８２ｉに電源回路基板７が螺子止めされている。
【００３２】
第１の板体８１は、直方形をなす板部８１ａと、該板部８１ａの周縁から回路基板側（一面側）へ立上る枠部８１ｂと、該枠部８１ｂの複数の周方向位置から外向きに延出された複数の取付部８１ｃとを有する金属板からなり、取付部８１ｃが後面１ａに螺子止めされるように構成されている。また、板部８１ａの一側部他面には第１の連結片８２ｄに対応する凹状の被連結部８１ｄが設けられており、該被連結部８１ｄに、挿通孔８２ｆに対応する螺子孔８１ｅが開設されている。枠部８１ｂの二つの角部には第２の連結片８２ｅの挿通孔８２ｇに対応する螺子孔８１ｆが開設されており、第１及び第２の連結片８２ｄ，８２ｅの挿通孔８２ｆ，８２ｇに挿通される小螺子を螺子孔８１ｅ，８１ｆに緊締することにより第１及び第２の板体８１，８２を取外し可能に連結してある。また、板部８１ａには一面側へ折曲げられた複数の第２及び第３の受片８１ｇ，８１ｈが設けられており、第２の受片８１ｇにメイン回路基板５が螺子止めされ、第３の受片８１ｈにサブ回路基板６が螺子止めされている。
【００３３】
以上のように構成された表示装置は、表示部１の後面１ａに、二つの補強桟２，２と、インバータ回路基板３，３と、制御回路基板４とを取付けてあり、メイン回路基板５，サブ回路基板６及び電源回路基板７が装着された基板装着板８を後面１ａに取付けてある。
【００３４】
基板装着板８は、メイン回路基板５及びサブ回路基板６が装着される第１の板体８１、及び電源回路基板７が装着され、連結片８２ｄ，８２ｅ及び被連結部８１ｄにより第１の板体８１に連結されている第２の板体８２を有するため、基板装着板８が表示部１に取付けられる以前においては、第１及び第２の板体８１，８２に分離することができ、分離された状態で搬送することができる。従って、搬送する際の基板装着板８を小型にでき、基板装着板８を搬送し易い。また、基板装着板８を搬送する際に該基板装着板８が収容される通い箱も小型にでき、該通い箱を、小型機種用と共通にすることができ、通い箱を新設することなく基板装着板８の大型化に対応することができる。
【００３５】
また、基板装着板８を表示部１に取付ける際には、第１及び第２の板体８１，８２の一側を突合せることにより、第１の連結片８２ｄが被連結部８１ｄと対向し、第２の連結片８２ｅが螺子孔８１ｆ部と対向する。従って、第１及び第２の連結片８２ｄ，８２ｅの挿通孔８２ｆ，８２ｇに挿通する小螺子を螺子孔８１ｅ，８１ｆに緊締することにより第１及び第２の板体８１，８２を連結することができ、基板装着板８を大型にできる。この基板装着板８は取付部８２ｃを表示部１の後面１ａに螺子止めすることにより取付けることができる。
【００３６】
実施の形態２
図７は基板装着板の他の構成を示す正面図、図８は基板装着板の他の構成を示す平面図、図９は基板装着板の他の構成を示す斜視図、図１０は他の構成を示す基板装着板を折り重ねた状態の斜視図、図１１は他の構成を示す基板装着板を折り重ねた状態の正面図である。この基板装着板８は分離を可能に連結する代わりに、第１及び第２の板体８１，８２をヒンジ８３により回動を可能に連結し、搬送する際には第２の板体８２を第１の板体８１に折重ねることができるようにしたものである。
【００３７】
板部８１ａ及び枠部８１ｂを有する第１の板体８１の一側部と、板部８２ａ及び枠部８２ｂを有する第２の板体８２の一側部とは二つのヒンジ８３により回動を自在に連結されている。また、第１の板体８１の枠部８１ｂには二つの角部から外方へ延出され、小螺子の挿通孔８１ｉを有する第３の連結片８１ｊが設けられている。第２の板体８２の枠部８２ｂには第３の連結片８１ｊの挿通孔８１ｉに対応する螺子孔８２ｊが開設されている。そして、第３の連結片８１ｊの挿通孔８１ｉに挿通される小螺子を螺子孔８２ｊに緊締することにより第１及び第２の板体８１，８２の回動を規制してある。
【００３８】
このように構成された基板装着板８は、小螺子による第１及び第２の板体８１，８２の回動規制を解除し、ヒンジ８３部を支点として第２の板体８２を回動し、第２の板体８２を第１の板体８１の他面に折重ねることができ、折重ね状態で搬送することができる。従って、搬送する際の基板装着板８を小型にでき、基板装着板８を搬送し易い。また、基板装着板８を搬送する際に該基板装着板８が収容される通い箱も小型にでき、該通い箱を、小型機種用と共通にすることができ、通い箱を新設することなく基板装着板８の大型化に対応することができる。
【００３９】
また、基板装着板８を表示部１に取付ける際には、折重ねられている第２の板体８２を回動し、展開させることにより基板装着板８を大型にできる。この基板装着板８は第３の連結片８１ｊの挿通孔８１ｉから螺子孔８２ｊに小螺子を緊締することにより第２の板体８２の回動を規制し、取付部８２ｃを表示部１の後面１ａに螺子止めすることにより取付けることができる。
その他の構成及び作用は図１〜図６に示した実施の形態１と同様であるため、同様の部品については同じ符合を付し、その詳細な説明及び作用効果の説明を省略する。
【００４０】
尚、以上説明した実施の形態では二つの板体８１，８２を連結することにより基板装着板８を構成したが、その他、基板装着板８は三つ以上の板体を連結してなる構成としてもよい。また、基板装着板８を構成する板体８１，８２は連結片８２ｄ，８２ｅにより連結、又は、ヒンジ８３により連結する構成としたが、その他、連結構造は特に制限されない。
【００４１】
また、本発明に係る薄型の表示装置は液晶テレビ等の液晶表示装置である他、プラズマ表示装置、ＥＬディスプレイ等の表示装置であってもよい。
【図面の簡単な説明】
【００４２】
【図１】本発明に係る表示装置の構成を示す後側の斜視図である。
【図２】本発明に係る表示装置の構成を示す横断拡大平面図である。
【図３】本発明に係る基板装着板の構成を示す正面図である。
【図４】本発明に係る基板装着板の構成を示す平面図である。
【図５】本発明に係る基板装着板の構成を示す斜視図である。
【図６】本発明に係る基板装着板の構成を示す分解斜視図である。
【図７】本発明に係る基板装着板の他の構成を示す正面図である。
【図８】本発明に係る基板装着板の他の構成を示す平面図である。
【図９】本発明に係る基板装着板の他の構成を示す斜視図である。
【図１０】本発明に係る基板装着板の他の構成を示す折り重ねた状態の斜視図である。
【図１１】本発明に係る基板装着板の他の構成を示す折り重ねた状態の正面図である。
【図１２】従来の表示装置の構成を示す後側の斜視図である。
【図１３】従来の表示装置の構成を示す横断拡大平面図である。
【符号の説明】
【００４３】
１    表示部
１ａ  後面
１１  表示部
５    メイン回路基板（回路基板）
６    サブ回路基板（回路基板）
７    電源回路基板（回路基板）
８    基板装着板
８１  第１の板体
８２  第２の板体
８２ｄ，８２ｅ  連結片
８１ｄ  被連結部
【図１】
2008096591.tif 000003
【図２】
2008096591.tif 000004
【図３】
2008096591.tif 000005
【図４】
2008096591.tif 000006
【図５】
2008096591.tif 000007
【図６】
2008096591.tif 000008
【図７】
2008096591.tif 000009
【図８】
2008096591.tif 000010
【図９】
2008096591.tif 000011
【図１０】
2008096591.tif 000012
【図１１】
2008096591.tif 000013
【図１２】
2008096591.tif 000014
【図１３】
2008096591.tif 000015